(57)【要約】      （修正有）【課題】従来、小売店等で衣服を吊下げて配列する展示状況は、ハンガーラックの幅方向を正面として見ると、衣服は側面方向に並んで吊下げられ配列展示されていた。それを側面方向だけでなく、斜め方向の角度から衣服の全体像の見易い配列展示を提供した。【解決手段】凹凸の２本の波状型形状の金属製の棒状の柱３、４を架橋部材２によって並行に結合して１本としたことで、該ハンガーラック１にハンガーを吊下げると双方の形状の係合いから、斜め方向にハンガーを吊下げられることを特徴としている。【選択図】図３
2010207384.tif 000002
【特許請求の範囲】
【請求項１】
ハンガーラックに、衣服を掛けるハンガーを斜め方向に固定して吊下げることが可能なハンガーラックであって、凹（底部）凸（山部）の２本の波状型形状の金属製の棒状の柱を架橋部材によって並行に結合して１本とし、ハンガーラックの内上部に該波状型形状の金属製の棒状の柱を水平に架設させた、斜め掛けハンガーラック。
【発明の詳細な説明】
【技術分野】
【０００１】
この発明は、凹（山部）凸（底部）の２本の波状型形状の金属製の棒状の柱を架橋部材によって並行に結合して１本にすることで、衣服を掛けるハンガーを斜め方向に固定させて吊下げることを可能にした、主に業務用のハンガーラックに関するものである。
【背景技術】
【０００２】
従来、衣服を吊下げて配列展示するハンガーラックにおいて、ハンガーラックの内上部に１本のハンガーパイプが水平に架設されているのが一般的であり、該ハンガーラックに吊下げられている衣服の形状は、ハンガーラックの幅方向を正面として見ると、衣服は側面方向に並んで吊下げられ配列展示されていた。
【発明の概要】
【発明が解決しようとする課題】
【０００３】
これは次のような問題点があった。
小売店等で衣服を購入する場合、ハンガーラックの幅方向を正面にして見ると、衣服は側面方向に並んで吊下げて配列展示していることが多く、ハンガーラックに掛かった衣服を見ようとすると、先頭に掛けている衣服を除けば、衣服の側面側である袖や肩の一方向だけで露出面積が小さく衣服の全体像が見難かった。
【０００４】
ハンガーラックに掛かっている目的の衣服の全体像を見ようとすると、ハンガーラックから目的の衣服を取り出すか、または左右のどちらかの側に衣服を押し退けて目的の衣服の全体像を見なければならなく面倒であった。
【０００５】
販売を目的とする小売店において、ハンガーラックの幅方向を正面にして見ると、衣服を側面方向に並んで吊下げて配列展示しているだけでは衣服の全体像を、より多くの消費者に見せることに非効率的であり、消費者も目的の衣服を探すのに不便であった。
【０００６】
販売を目的とする小売店において、ハンガーラックには適切な数量の衣服が吊下げて配列展示していないと、レイアウト上の美的感覚において見た目に悪く、消費者に対して悪い印象を与えてしまう。
本発明は、以上のような欠点をなくすためになされたものである。
【課題を解決するための手段】
【０００７】
凹（底部）凸（山部）の連なる２本の波状型形状の金属製の棒状の柱を架橋部材によって並行に結合して１本にする。
【０００８】
ハンガーラックの幅方向を正面にして２本の波状型形状の金属製の棒状の柱
の１本目を前部とし、２本目を後部とし、該前部の凹部と該後部の凹部の位置と該前部の凸部と該後部の凸部の位置は対置している。
【０００９】
前部の凹部と斜め位置の後部の凹部、また前部の凹部に対置している後部の
凹部にハンガーを吊下げるのに適した凹凸の形状とサイズ、また２本の波状型形状の金属製の棒状の柱の間の幅間隔を設定する。
【００１０】
ハンガーラックの内上部に該波状型形状の金属製の棒状の柱を水平に架設させる。
【発明の効果】
【００１１】
斜め方向の配列展示が可能だと、小売店等で衣服を購入する場合、ハンガーラックの幅方向を正面にして見ると、衣服の露出面積が大きくなり、衣服の全体像が見易くなる。
【００１２】
斜め方向の配列展示が可能だと、ハンガーラックから目的の衣服を取り出さないでも、また左右のどちらかの側に衣服を押し退けないでも、目的の衣服の全体像を見ることが可能になる。
【００１３】
斜め方向の配列展示が可能だと、衣服の露出面積が大きくなり、より多くの消費者に対して効率的に衣服の全体像を見せる事が可能となり、消費者も目的の衣服を探すのに便利である。
【００１４】
斜め方向の配列展示が可能だと、衣服の数量不足でハンガーラックに適切な展示できない場合でも、衣服を斜め方向に配列展示することによりハンガーラックの面積を広く使えるため、数量不足による歯抜け状態を消費者に見せ難いことで、レイアウト上の美的感覚において見た目にも良く、消費者に対して良い印象を与えられる。
【図面の簡単な説明】
【００１５】
【図１】ハンガーラックの正面図である。
【図２】ハンガーラックに斜め方向に吊下げたハンガーの平面図である。
【図３】ハンガーラックの斜視図である。
【発明を実施するための形態】
【００１６】
以下、本発明の実施例について説明する。
ハンガーラックのハンガーを吊下げる内上部の１本のパイプを、２本の凹凸の連なる波状方形状の金属製の棒状の柱と、同じ形状の柱を架橋部材で並行に結合することで１本にする。
本発明は、以上のような構造で該ハンガーラックにハンガーを吊下げて使用するときは、前部の凹部と後部の斜め方向の凹部の位置にハンガーを掛ける、双方の形状の係合いから、斜め方向に固定した状態で衣服を吊下げることが可能となり、衣服の全体像をより多くの消費者に見せればいい。
【符号の説明】
【００１７】
１、ハンガーラック
２、架橋部材
３、前部の凹凸の連なる波状方形状の金属製の棒状の柱
４、後部の凹凸の連なる波状方形状の金属製の棒状の柱
５、ハンガー
６、ハンガーフック
７、凹（底部）
８、凸（山部）
【図１】
2010207384.tif 000003
【図２】
2010207384.tif 000004
【図３】
2010207384.tif 000005
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
相対向の支柱に連結するハンガーバーに衣服を吊下げるハンガーを複数支持するハンガーラックであって、該ハンガーバーを、凹（底部）凸（山部）が連なる２本の波状型形状の金属性のバーを、架橋連結が可能な複数の接合部材によって並行に結合して１本として形成すると共に、該ハンガーラックの相対向する支柱の上部の位置に水平連結させたことを特徴とする、ハンガーラック。
【手続補正２】
【補正対象書類名】明細書
【補正対象項目名】０００１
【補正方法】変更
【補正の内容】
【０００１】
この発明は、凹（底部）凸（山部）が連なる２本の波状型形状の金属性のバーを、架橋連結が可能な複数の接合部材によって並行に結合して１本にすることで、衣服をかける複数のハンガーを斜め方向に固定させて吊下げることを可能にした、主に業務用ハンガーラックに関するものである。
【手続補正３】
【補正対象書類名】明細書
【補正対象項目名】０００７
【補正方法】変更
【補正の内容】
【０００７】
凹（底部）凸（山部）が連なる２本の波状型形状の金属性のバーを、架橋連結が可能な複数の接合部材によって並行に結合して１本にする。
【手続補正４】
【補正対象書類名】明細書
【補正対象項目名】０００８
【補正方法】変更
【補正の内容】
【０００８】
ハンガーラックの幅方向を正面として２本の波状型形状の金属性のバーの１本目を前部とし、２本目を後部とし、該前部の凹部と該後部の凹部と該前部の凸部と該後部の凸部の位置は対置している。
【手続補正５】
【補正対象書類名】明細書
【補正対象項目名】０００９
【補正方法】変更
【補正の内容】
【０００９】
前部の凹部と斜め位置の後部の凹部、また前部の凹部に対置している後部の凹部にハンガーを吊下げるのに適した凹凸の形状とサイズ、また２本の波状型形状の金属性バーの間の幅間隔を設定する。
【手続補正６】
【補正対象書類名】明細書
【補正対象項目名】００１０
【補正方法】変更
【補正の内容】
【００１０】
ハンガーラックのハンガーバーとして、波状型形状の金属製のバーを相対向する支柱の上部の位置に水平連結させる。
【手続補正７】
【補正対象書類名】明細書
【補正対象項目名】００１６
【補正方法】変更
【補正の内容】
【００１６】
以下、本発明の実施例について説明する。
凹（底部）（７）凸（山部）（８）が連なる２本の波状型形状の前部のバー（３）と後部のバー（４）を、架橋連結が可能な複数の接合部材（２）によって並行に結合して１本とし、該ハンガーラック（１）のハンガーバー（３）（４）として相対向する支柱の上部の位置に水平連結させた、ハンガーラックである。
本発明は、以上のような構造でハンガーバーにハンガーフック（６）からハンガー（５）を吊下げて使用するときは、前部の凹部と後部の凹部の位置にハンガーを掛ける、双方の形状の係り合いから、斜め方向に固定した状態で衣服を吊下げることが可能となり、衣服の全体像を消費者に見せればいい。
【手続補正８】
【補正対象書類名】明細書
【補正対象項目名】００１７
【補正方法】変更
【補正の内容】
【００１７】
１、相対向するハンガーラックの支柱
２、架橋連結が可能な接合部材
３、前部側の凹凸が連なる波状方形状の金属性のハンガーバー
４、後部側の凹凸が連なる波状方形状の金属性のハンガーバー
５、ハンガー
６、ハンガーフック
７、凹（底部）
８、凸（山部）